(57)【要約】【課題】この考案の課題は、防風林を伐採処理したり、また、農作物の圃場を既存の場所から移動する必要がなく、猿のみを感電によって撃退させ、侵入を防止する獣類浸入防止柵を開発、提供することにある。【解決手段】果樹・野菜等を栽培する果樹園・農園等の農作物の圃場（Ｘ）を囲んで立設した防止柵（１）において、該防止柵の上部に、該防止柵（１）の内側に向けて傾斜し、適宜な幅（Ｙ）を有する傾斜柵（２）を形成し、該傾斜柵（２）に感電装置（３）を配置したことを特徴とする獣類侵入防止柵から構成されるものである。【選択図】      図１
0003154153.tif 000002
【実用新案登録請求の範囲】
【請求項１】
果樹・野菜等を栽培する果樹園・農園等の農作物の圃場（Ｘ）を囲んで立設した垂直柵（１）において、該垂直柵の上部に、該垂直柵（１）の内側に向けて傾斜し、適宜な幅（Ｗ）を有する傾斜柵（２）を形成し、該傾斜柵（２）に感電装置（３）を配置したことを特徴とする獣類侵入防止柵。
【請求項２】
傾斜柵（２）の傾斜角度が、水平方向より３０°ないし６０°程度傾斜していることを特徴とする請求項１記載の獣類侵入防止柵。
【考案の詳細な説明】
【技術分野】
【０００１】
この考案は、サル等の獣類より被害を防止する獣類侵入防止柵に関する。
【背景技術】
【０００２】
従来、自然環境の変化（環境破壊）によって、獣類、特にサルや猪等が人間の住む地域まで侵入しており、それに伴って、被害を受ける農作物の圃場（以下、この圃場には果樹園も含むものである。）の周囲には、防止柵で囲み防御している。
【０００３】
さらに、防止柵には、感電装置を設けたものも存在する。例えば、特許文献１に示すように。
【先行技術文献】
【特許文献】
【０００４】
【特許文献１】特開平２００８−７９５２１号公報
【０００５】
通常、農作物の圃場の周囲、あるいは風の方向には防風林が設置されており、この防風林に隣接して農作物の圃場が設けられている為、図２に示すように、サルは、一度、防風林に登り、そこから農作物の圃場の樹木に飛び込むという動作を頻繁に行っている。
【０００６】
さらに、サルの農作物の圃場の樹木への飛び込みは、防風林のほか、農作物の圃場に隣接する防風設備、電柱、電線、家屋の擁壁等の高い構造物がある場合には、これらの高い構造物に一旦登り、そこから農作物の圃場の樹木に向けて飛び込むことがあった。
【０００７】
そのため、サルの飛び込みによる侵入を防ぐためには、農作物の圃場に隣接する樹木（防風林）から４ｍ程度の間隔を開けて伐採する必要がある。
【０００８】
しかし、農作物の圃場と上記間隔を保っていない防風林であっても、農作物の圃場にとって必要なものであり、伐採することはできず、サルの飛び込みによる被害防除を行う上で、大きな問題となっていた。しかしながら、サルが飛び込まない程度の離れた場所に、農作物の圃場を移動させることは、事実上、不可能であった。
【０００９】
本件考案者は、長年の研究の結果、防止柵の上部が内側に傾斜している形状の柵は、サルが柵を飛び越えようとする行動を抑制することが、実験の結果、確かめられ、サルの飛び込みを誘発するような柵に、隣接する柵よりも高い構造物（樹木など）があった場合でも、従来の垂直型の柵の場合と異なり、柵が内側に傾斜している場合、サルは柵を飛び越えるという行動はとらず、柵の傾斜部分の基部に飛び乗り、傾斜部分をよじ登って柵の内部に侵入しようとする行動を示す傾向があることが判明した。
【考案の概要】
【考案が解決しようとする課題】
【００１０】
そこで、この考案の課題は、防風林を伐採処理したりすることなく、農作物の圃場に隣接する樹木、電柱、電線、構造物等が存在しても、また、農作物の圃場を既存の場所から移動する必要がなく、サルの行動から考案し、サルのみを感電によって撃退させ、農作物の圃場への侵入を防止する獣類侵入防止柵を開発、提供することにある。
【課題を解決するための手段】
【００１１】
この考案による課題を解決するための手段としては、長期間にわたって、サルの行動の習性等を研究した結果、農作物の圃場の周囲に立設する柵の上端に、農作物の圃場側、即ち，内側に傾斜する傾斜柵を設け、該傾斜柵に感電装置を設けることにより、サルの侵入を防止し、人間には安全な獣類浸入防止柵を設けたものである。
【考案の効果】
【００１２】
この考案によると、猿は外部の樹木から、一旦、傾斜棚（２）に飛び下りることにより、該傾斜棚（２）に設置されている感電装置（３）により、感電し、猿に恐怖感を与えることができる。
【００１３】
さらに、垂直柵（１）の上端部に、内側に傾斜した傾斜柵（２）を設けるため、この傾斜棚の設置により、柵外を通行する人、車両等に迷惑をかけることがない。
【００１４】
また、感電装置（３）を、従来の垂直棚（１）より傾斜棚（２）に移動して設けることにより、そのまま使用でき経済的であると共に、従来の垂直柵（１）に、感電装置（３）設けることに比べて、事故が少なくなる。
【００１５】
これにより、防風林を伐採する必要がなく、周囲の環境も保全でき、また、防風林より猿が飛び込まないために、離れた箇所に農作物の圃場を移設する必要がない等極めて有益なる効果を奏するものである。
【図面の簡単な説明】
【００１６】
【図１】この考案の一実施例を示す説明図である。
【図２】従来例を示す説明図である。
【考案を実施するための形態】
【００１７】
以下、この考案の好適な実施の形態について述べると、農作物の圃場、即ち，果物を栽培する果樹園、野菜等を栽培する箇所を囲んで立設した垂直柵において、該垂直柵の上部に、該垂直柵の内側に向けて傾斜し、適宜な幅を有する傾斜柵を形成し、該傾斜柵に感電装置を配置する獣類侵入防止柵である。
【実施例】
【００１８】
この考案の一実施例を図１に基づいて詳細に説明すると、先ず、農作物の圃場（Ｘ）とは、果樹・野菜等を栽培する場所をいい、該農作物の圃場（Ｘ）を取り囲んで設置した垂直柵（１）を設け、該垂直柵（１）は、垂直状に設置され、その高さは、一例として、約１８０ｃｍ程度である。この垂直柵（１）は、既存のものであっても、新規に設置するものであってもよい。尚、垂直柵（１）とは、傾斜柵（２）に対して名付けた棚のことであり、必ずしも地面に対して垂直に設けられた柵を意味するものではない。
【００１９】
そして、該垂直柵（１）の上部に、該防止柵の内側に向けて傾斜した傾斜柵（２）を設ける。尚、傾斜柵（２）が内側に向けて傾斜する傾斜角度は、水平より３０°以上であって６０°未満程度であることが好ましい。
【００２０】
また、傾斜棚（２）の幅寸法は、一例としては、猿が、防風林（Ｙ）に登り、該防風林（Ｙ）から跳躍して、農作物の圃場に立設した果樹（Ｚ）に飛び乗ることができる程度の幅があればよい。即ち，傾斜柵（２）の幅は、１００ｃｍ程度あればよい。
【００２１】
さらに、該傾斜柵（２）には、感電装置（３）を配備するものである。
感電装置（３）とは、電気柵と呼ばれるものであり、電線を設け、該電線に猿が接触すると衝撃電圧（電気的ショック）を与え、猿を撃退させるものであり、それにより猿が果樹園へ侵入することを防除するものである。
【産業上の利用可能性】
【００２２】
この考案の獣類侵入防止柵の技術を確立し、実施・販売することにより、産業上利用できるものである。
【符号の説明】
【００２３】
１  垂直柵
２  傾斜柵
３  感電装置
Ｗ  幅
Ｘ  農作物の圃場
【図１】
0003154153.tif 000003
【図２】
0003154153.tif 000004